(57)【特許請求の範囲】
【請求項１】
通信を行うため通常の送信電力を出力する第１の出力モードを有する無線電話端末において、前記第１の出力モードと、予め設定され抑制された送信電力を出力する第２の出力モードと、送信電力を無出力にする第３の出力モードとを使い分けるためのモードスイッチを有し、電波を規制するための電波規制信号を非受信し前記モードスイッチの指示に従い所定の送信電力を出力させる送信電力制御手段を備えることを特徴とする無線電話端末。
【請求項２】
前記モードスイッチが前記第２の出力モードまたは前記第３の出力モードに設定されている場合に着信を検出したとき、その着信呼の発呼者番号と着信時刻とをメモリに記憶する着信履歴登録手段を備えることを特徴とする請求項１記載の無線電話端末。
【請求項３】
操作設定に基づきバイブレータまたはリンギングによる着信通知を選択する選択手段を備えることを特徴とする請求項２記載の無線電話端末。
【請求項４】
無線信号の送受信を行う送受信部と電波を規制するための電波規制信号を非受信し送信電力モード情報を受信し前記送受信部での送信電力の制御を行う送信電力制御部とを有する無線部と、無線電話端末動作のためのプログラム及び着信呼の履歴を記憶しておくためのメモリと、各種機能設定を行うための機能設定ボタンと送信電力モード設定を行う病院・電車モード設定部とを有する操作入力部と、前記病院・電車モード設定部に設定された送信電力モード情報を受信し前記送受信部に出力する送信電力抑制情報受信部と着信時の報知手段を指示に基づき選択する報知手段選択部と送信電力モードのうち送信電力抑制または無出力に対応するモードのとき着信した呼の発呼者番号及び着信時刻を前記メモリに登録する着信履歴登録部とを有し前記メモリから読み出したプログラムにより無線電話端末全体を制御する制御部と、無線信号を音声処理する音声処理部と、前記音声処理部で処理する信号を入出力し通話を行うための送受話器と、各種表示を行うための表示部と、振動により着信報知を行うバイブレータとを備えることを特徴とする無線電話端末。
【請求項５】
通信を行うため通常の送信電力を出力する第１の出力モードを有する無線電話端末における送信電力制御方法おいて、前記第１の出力モードと、予め設定され抑制された送信電力を出力する第２の出力モードと、送信電力を無出力にする第３の出力モードとを使い分けるためのモードスイッチを設け、電波を規制するための電波規制信号を非受信し前記モードスイッチの指示に従い所定の送信電力を出力させることを特徴とする無線電話端末における送信電力制御方法。
【請求項６】
前記モードスイッチによって前記第２の出力モードまたは前記第３の出力モードが設定されている場合に着信を検出したとき、その着信呼の発呼者番号と着信時刻とをメモリに記憶することを特徴とする請求項５記載の無線電話端末における送信電力制御方法。
【請求項７】
操作設定に基づきバイブレータまたはリンギングによる着信通知を選択することを特徴とする請求項６記載の無線電話端末における送信電力制御方法。
【発明の詳細な説明】
【０００１】
【発明の属する技術分野】
本発明は無線電話端末に関し、特にその送信電力制御機能に関する。
【０００２】
【従来の技術】
従来、無線電話端末の一つである携帯電話機は送信出力が高い場合、心臓ペースメーカー等の医療機器へ悪影響の恐れがあるため、特に病院や電車の中では利用が制限されている。例えば、特開平１１−３３１９５５号公報には、発信規制専用の発信機から携帯電話機に対し発着信規制電波信号を発信し、携帯電話機ではこの信号を受信し自動的に発着信機能を停止させることにより、他に迷惑を掛けることを防止する技術が開示されている。
【０００３】
【発明が解決しようとする課題】
上述したような状況の中で、携帯電話用の基地局のマイクロセル化により小電力化が進む中、医療機器へ影響を与えないレベルの送信電力でも十分に通信ができるエリアが増えている。この小電力化により心臓ペースメーカー等の医療機器へ悪影響を与えず携帯電話機の利用を可能とし、また、携帯電話機で電源を切断しなくてとも、通信以外での使用、例えばゲーム等の使用が望まれている。また、上述した従来の携帯電話機では、発信機が設置された規制エリアに対しては、電波規制信号を用いる必要があり、この電波規制信号の受信によりたとえ他に迷惑を掛けずに通信可能なエリアでも、自動的にすべての送受信が停止させられるので、利便性に欠けるという問題がある。
【０００４】
本発明の目的は、小電力エリアで電波規制信号を用いずに、心臓ペースメーカー等の医療機器へ悪影響を与えず無線電話端末の利用が可能でかつ通信以外での用途は全く問題なく利用することができる無線電話端末及びその送信電力制御方法を提供することにある。
【０００５】
【課題を解決するための手段】
本発明の無線電話端末は、通信を行うため通常の送信電力を出力する第１の出力モードを有する無線電話端末において、前記第１の出力モードと、予め設定され抑制された送信電力を出力する第２の出力モードと、送信電力を無出力にする第３の出力モードとを使い分けるためのモードスイッチを有し、電波を規制するための電波規制信号を非受信し前記モードスイッチの指示に従い所定の送信電力を出力させる送信電力制御手段を備える。また、本発明の無線電話端末は、前記モードスイッチが前記第２の出力モードまたは前記第３の出力モードに設定されている場合に着信を検出したとき、その着信呼の発呼者番号と着信時刻とをメモリに記憶する着信履歴登録手段を備える構成としてもよく、操作設定に基づきバイブレータまたはリンギングによる着信通知を選択する選択手段を備える構成としてもよい。
【０００６】
本発明の無線電話端末は、無線信号の送受信を行う送受信部と電波を規制するための電波規制信号を非受信し送信電力モード情報を受信し前記送受信部での送信電力の制御を行う送信電力制御部とを有する無線部と、無線電話端末動作のためのプログラム及び着信呼の履歴を記憶しておくためのメモリと、各種機能設定を行うための機能設定ボタンと送信電力モード設定を行う病院・電車モード設定部とを有する操作入力部と、前記病院・電車モード設定部に設定された送信電力モード情報を受信し前記送受信部に出力する送信電力抑制情報受信部と着信時の報知手段を指示に基づき選択する報知手段選択部と送信電力モードのうち送信電力抑制または無出力に対応するモードのとき着信した呼の発呼者番号及び着信時刻を前記メモリに登録する着信履歴登録部とを有し前記メモリから読み出したプログラムにより無線電話端末全体を制御する制御部と、無線信号を音声処理する音声処理部と、前記音声処理部で処理する信号を入出力し通話を行うための送受話器と、各種表示を行うための表示部と、振動により着信報知を行うバイブレータとを備える。
【０００７】
本発明の無線電話端末における送信電力制御方法は、通信を行うため通常の送信電力を出力する第１の出力モードを有する無線電話端末における送信電力制御方法おいて、前記第１の出力モードと、予め設定され抑制された送信電力を出力する第２の出力モードと、送信電力を無出力にする第３の出力モードとを使い分けるためのモードスイッチを設け、電波を規制するための電波規制信号を非受信し前記モードスイッチの指示に従い所定の送信電力を出力させる構成であり、また、前記モードスイッチによって前記第２の出力モードまたは前記第３の出力モードが設定されている場合に着信を検出したとき、その着信呼の発呼者番号と着信時刻とをメモリに記憶する構成としてもよく、操作設定に基づきバイブレータまたはリンギングによる着信通知を選択する構成としてもよい。
【０００８】
本発明によれば、モード指定によって無線電話端末の送信電力を所定の値に抑制することにより、医療機器に影響を与えない送信出力で、可能な限りの通信を行うことができ、送信出力を抑制し通信が不能となった場合、着信があったときにはユーザに通知することができる。
【０００９】
【発明の実施の形態】
次に、本発明の実施の形態について図面を参照して説明する。
【００１０】
図１（ａ）は表示部７を有する携帯電話機の外観の一例を示す図であり、操作入力部３には本発明による送信電力モード設定を行う機能設定ボタン３１が設けられている。この携帯電話機では、通信を行うため通常の送信電力を出力する第１の出力モードと、医療機器へ悪影響を与えない予め設定され抑制された送信電力を出力する第２の出力モードと、送信電力を無出力にする第３の出力モードとを有し、機能設定ボタン３１により、これら３つのモードを操作設定し使い分ける。上述した第２及び第３の出力モードを病院・電車モードと呼称する。送信電力の抑制は通常の携帯電話機が主に干渉波抑制のために具備しているパワー制御の機能を使用する。
【００１１】
携帯電話機の内部構成を示す図１（ｂ）を参照すると、携帯電話機は、無線信号の送受信を行う送受信部１１と送信電力モード情報を受信し送受信部１での送信電力の制御を行う送信電力制御部１２とを有する無線部１と、携帯電話機動作のためのプログラム及び着信呼の履歴を記憶しておくためのメモリ２と、各種機能設定を行うための機能設定ボタン３１と送信電力モード設定を行う病院・電車モード設定部３２とを有する操作入力部３と、病院・電車モード設定部３２に設定された送信電力モード情報を受信し送受信部１に出力する送信電力抑制情報受信部４１と着信時の報知手段を指示に基づき選択する報知手段選択部４２と送信電力モードのうち送信電力抑制または無出力に対応するモードのとき着信した呼の発呼者番号及び着信時刻をメモリ２に登録する着信履歴登録部４３とを有しメモリ２から読み出したプログラムにより携帯電話機全体を制御する制御部４と、無線信号を音声処理する音声処理部５と、音声処理部５で処理する信号を入出力し通話を行うための送受話器６と、各種表示を行うための表示部７と、振動により着信報知を行うバイブレータ８とを備える。
【００１２】
本実施の形態では、機能設定ボタンにより送信電力モード情報を入力する例を説明したが、この情報入力のための専用ボタンを設ける構成としてもよい。
【００１３】
以下に、図１から図５までを参照して実施の形態の動作を説明する。
【００１４】
図２は、病院・電車モードで心臓ペースメーカー等の医療機器へ影響を与えないレベルの送信出力（第２の出力モード）の携帯電話機が通信を行う際の着信を説明するための図である。始めに、網側から携帯電話機側に対しページングが行われ、これに対して携帯電話機が着信無線状態報告を行う。次に網から認証要求が送信され携帯電話機がこの要求に対する認証応答を返す。そして、同期が確立され無線チャネルを捕捉し携帯電話機への呼び出しが行われ、通話状態となる。現在の携帯電話システムではマイクロセル化が進んでいるため、小電力（低電力）で通信が可能なエリアが広がっている。携帯電話機から網に対する送信電力は医療機器に影響を与えない程度の微弱電波（第２の出力モード）であるが、網が携帯電話機からの信号を認識できれば通常の着信と全く同様に通信が成立する。
【００１５】
図３は病院・電車モードで心臓ペースメーカー等の医療機器への影響を与えないレベルの送信出力の携帯電話機の送信出力が足りずに通が行えない際の着信を説明するための図である。網側では、携帯電話機の送信電力が弱いため、網からの通常出力によるページングに対する着信無線状態報告を受信できず、従って携帯電話機の電源オフまたは圏外と判断し、図示しない留守番電話サービスセンタに接続する。呼び出し者の用件は留守番メッセージとして網に蓄積される。
【００１６】
一方、携帯電話機は、送信電力を抑制した状態で着信無線状態報告を返すが網に届かず、網から次のメッセージがこない。この場合、携帯電話機は通信不能と判断し「着信有り」を携帯電話機の利用者に連絡する。この利用者は「着信有り」を確認すると、携帯電話機を使用可能な場所で留守番電話サービスを確認する。
【００１７】
図４は病院・電車モードで出力停止した（第３の出力モード）際の着信を説明するための図である。網側では、携帯電話機に対しページングを行うが、応答がないため、携帯電話機の電源オフまたは圏外と判断し、留守番電話サービスセンタに接続する。呼び出し者の用件は留守番メッセージとして網に蓄積される。
【００１８】
一方、携帯電話機は、送信出力を停止しているため、着信無線状態報告を返さない。この場合、携帯電話機は通信不能状態であるため「着信有り」を携帯電話機の利用者に連絡する。この利用者は「着信有り」を確認すると、携帯電話機を使用可能な場所で留守番電話サービスを確認する。
【００１９】
図５は、病院・電車モードにて第２の出力モードで出力が足りないために通信不能もしくは第３の出力モードで出力停止したために通信不能となっている携帯電話機に着信があった場合の利用者への通知連絡方法を説明するための図である。上述した第２または第３の出力モードにより通信不能となっている状態で着信があった際、報知手段選択部４２は設定指示に基づきデスプレイ表示とバイブレータまたはリンギングを選択し利用者に着信を連絡する。また、着信履歴登録部４３は、着信した呼の発呼者番号及び着信時刻をメモリ２に記憶登録することにより、利用者が後から確認することができる。
【００２０】
従って、本発明の携帯電話機は、規制エリアでも電源を切らないことにより、医療機器等に悪影響を与えることなく可能な限り通信を成立させ、また通信端末として使用する以外に時計／ゲーム／スケジューラ／デジタルカメラ／メール作成／受信済みメールの確認その他、様々な用途が利用可能になリ、利便性が向上する。
【００２１】
【発明の効果】
以上説明したように本発明によれば、無線電話端末の送信出力が心臓ペースメーカー等の医療機器に悪影響を与えるため利用が制限される小電力エリアで、電波規制信号を用いることなく、心臓ペースメーカー等の医療用機器に悪影響を与えずに無線電話端末を使用することができる。
【図面の簡単な説明】
【図１】（ａ）は携帯電話機の外観の一例を示す図である。（ｂ）は本発明の実施の形態を示す構成図である。
【図２】病院・電車モードで心臓ペースメーカー等の医療機器へ影響を与えないレベルの送信出力の携帯電話機が通信を行う際の着信を説明するための図である。
【図３】病院・電車モードで心臓ペースメーカー等の医療機器への影響を与えないレベルの送信出力の携帯電話機の送信出力が足りずに通信が行えない際の着信を説明するための図である。
【図４】病院・電車モードで出力停止した際の着信を説明するための図である。
【図５】病院・電車モードにて出力が足りないために通信不能もしくは出力停止したために通信不能となっている携帯電話機に着信があった場合の利用者への通知連絡方法を説明するための図である。
【符号の説明】
１    無線部
２    メモリ
３    操作入力部
４    制御部
５    音声処理部
６    送受話器
７    表示部
８    バイブレータ
１１    送受信部
１２    送信電力制御部
３１    機能設定ボタン
３２    病院・電車モード設定部
４１    送信電力抑制情報受信部
４２    報知手段選択部
４３    着信履歴登録部
【図１】
0003541803.tif 000002
【図２】
0003541803.tif 000003
【図３】
0003541803.tif 000004
【図４】
0003541803.tif 000005
【図５】
0003541803.tif 000006